(57)【要約】【課題】自立型トラスの各種間隔および各種寸法のボイドに適用できるボイド取付部材によりボイドを固定した床構造材を提供すること。【解決手段】平行な複数の自立型トラス１を型枠２に固定した床構造材において、隣接する自立型トラス１の中間に、帯鋼を曲げた平坦な底面31を有するＵ字形のボイド取付部材３を載せ、このボイド取付部材３の平坦な底面31を型枠２に固定し、ボイド取付部材３のＵ字形の開口部にボイド８を落とし込み、ボイド８の側面に沿わせるようにボイド取付部材３の開放端32を曲げて、端部の近くをスポット溶接▽してボイド８を固定したものである。【選択図】      図４
2004197338.tif 000002
【特許請求の範囲】
【請求項１】
平行な複数の自立型トラスを型枠に固定した床構造材において、
隣接する自立型トラスの中間に、帯鋼を曲げた平坦な底面を有するボイド取付部材を載せ、該ボイド取付部材の上記平坦な底面を上記型枠に固定し、ボイド取付部材のＵ字形の開口部にボイドを落とし込み、ボイドの側面に沿わせるようにボイド取付部材の開放端を曲げて、端部の近くをスポット溶接してボイドを固定することを特徴とする床構造材。
【請求項２】
平行な複数の自立型トラスを型枠に固定した床構造材において、
隣接する自立型トラスの中間に、帯鋼を平坦な底面となる部分の両側を上向きにＵ字形に曲げ、一方の立上り部分を底面から所定高さ位置で内側に曲げ、さらに円弧状に曲げたボイド取付部材を２つ対向させて載せ、該２つのボイド取付部材の上記平坦な底面を上記型枠に固定し、ボイド取付部材の対向する２つの円弧面にボイドを落とし込み、ボイドの側面に沿わせるようにボイド取付部材の開放端を曲げて、端部の近くをスポット溶接してボイドを固定することを特徴とする床構造材。
【請求項３】
平行な複数の自立型トラスを型枠に固定した床構造材において、
隣接する自立型トラスの中間に、予めループ状に形成した帯鋼を曲げ加工して、平坦な底面と円弧状の受面とを形成したボイド取付部材の上記平坦な底面を上記型枠に固定し、ボイド取付部材の円弧状の受面にボイドを載せ、ボイドの側面に沿わせるようにボイド取付部材の開放端を曲げて、端部の近くをスポット溶接してボイドを固定することを特徴とする床構造材。
【発明の詳細な説明】
【０００１】
【発明が属する技術分野】
この発明は、コンクリート床版の構築に使用する型枠と、自立型トラスと、ボイドよりなる床構造材に関し、特に、ボイドを固定する構造に関する。
【０００２】
【従来の技術】
型枠および自立型トラスよりなる床構造材を使用してコンクリートを打設して床スラブを構築する際に、床版の軽量化および配線・配管のために、床版にボイドを埋設して床スラブを構築することが実施されている。
【０００３】
特開2001-303707号公報により、型枠および自立型トラスよりなる床構造材にボイドを固定した床構造材が提案されている。
【０００４】
図８の正面図に示すように、１本の上弦筋11と２本の下弦筋12を上下に平行に配置し、波形に屈曲させた２本のラチス筋13の上側屈曲部を上弦筋11に溶接し、２本のラチス筋13の下部を下弦筋12に溶接するとともに、下側屈曲部15を水平に曲げて自立型トラス１を構成し、この自立型トラス１の下側屈曲部15を鉄板よりなる型枠２に溶接して床構造材を形成する。
【０００５】
この床構造材において、平行に配置された自立型トラス１の間に、ボイド８を固定するために、ボイド８の下側を支持する円弧状に曲げた支持筋６の両端の屈曲部61を隣接する自立型トラス１の上弦筋11に掛け渡して、この支持筋６の上にボイド８を載せる。
【０００６】
コンクリートを打設する際に、比重が大きいコンクリートによりボイド８に浮力が作用して浮き上がるので、ボイド８の上側を押さえ付けるために、円弧状に曲げた押さえ筋７をボイド８の上側に載せ、押さえ筋７の両端の屈曲部71を隣接する自立型トラス１の下弦筋12に掛け渡してボイド８を固定している。
【０００７】
【発明が解決しようとする課題】
このようなボイド支持構造によると、自立型トラス１の間隔が変わったり、太さが異なるボイド８に適用するために、各種寸法の支持筋６および押さえ筋７を用意しなければならず、支持筋６および押さえ筋７を手作業により掛け渡さなければならなかった。そこで、この発明は、このような課題を解決するために考えられたものである。
【０００８】
【課題を解決するための手段】
この発明の床構造材は、平行な複数の自立型トラスを型枠に固定した床構造材において、隣接する自立型トラスの中間に、帯鋼を曲げた平坦な底面を有するＵ字形のボイド取付部材を載せ、このボイド取付部材の上記平坦な底面を上記型枠に固定し、ボイド取付部材のＵ字形の開口部にボイドを落とし込み、ボイドの側面に沿わせるようにボイド取付部材の開放端を曲げて、端部の近くをスポット溶接してボイドを固定したものである。
【０００９】
この発明の他の実施形態の床構造材は、平行な複数の自立型トラスを型枠に固定した床構造材において、隣接する自立型トラスの中間に、帯鋼を平坦な底面となる部分の両側を上向きにＵ字形に曲げ、一方の立上り部分を底面から所定高さ位置で内側に曲げ、さらに円弧状に曲げたボイド取付部材を２つ対向させて載せ、この２つのボイド取付部材の上記平坦な底面を上記型枠に固定し、ボイド取付部材の対向する２つの円弧面にボイドを落とし込み、ボイドの側面に沿わせるようにボイド取付部材の開放端を曲げて、端部の近くをスポット溶接してボイドを固定したものである。
【００１０】
【発明の実施の形態】
（第１の実施形態）
図１（ａ）に示すように、デッキプレート、キーストンプレート、リブプレートなどの平行な複数の溝型を形成した鉄板の型枠２を予め用意するとともに、１本の上弦筋11と２本の下弦筋12を上下に三角形に配置し、波形に屈曲させた２本のラチス筋13をその上側屈曲部14で上弦筋11を挟むように山形に添設して、両ラチス筋13の上側屈曲部14を上弦筋11にそれぞれ溶接し、両ラチス筋13の下部を２本の下弦筋12にそれぞれ溶接した自立型トラス１を用意する。
【００１１】
そして、型枠２の上に複数の自立型トラス１を平行に配列し、自立型トラス１の両ラチス筋13の下側屈曲部15を型枠２に溶接して床構造材を形成する。
【００１２】
図１（ｂ）に示すように、帯鋼を曲げて平坦な底面31を有するＵ字形のボイド取付部材3aを作る。
【００１３】
または、図１（ｃ）に示すように、帯鋼を曲げて平坦な底面31を有するＬ字形のボイド取付部材3bを作る。
【００１４】
そして、図２に示すように、このボイド取付部材３（3aまたは3b）を隣接する自立型トラス１の中間に自立型トラス１と交差する方向に複数個載せ、平坦な底面31を型枠２の上面に溶接して固定する。
【００１５】
図３に示すように、平行に配列された複数の自立型トラス１を横切るように、自立型トラス１の下弦筋12の上に位置決め用鉄筋16を挿通し、Ｕ字形を成すボイド取付部材３の開放端32の間を経て、位置決め用鉄筋16の上にボイド８を載せる。
【００１６】
図４に示すように、ボイド８の側面に沿わせるように、ボイド取付部材３の開放端32を曲げて、端部の近くをスポット溶接▽または鋲止めしてボイド８を固定する。
【００１７】
そして、この床構造材を横梁の間に架け渡し、鉄板２を捨て型枠としてコンクリートを打設して床スラブを構築するのである。
【００１８】
（第２の実施形態）
第１の実施形態においては、ボイド取付部材３の他にボイド８を位置決めするための鉄筋16を必要としているが、第２の実施形態においては、ボイド取付部材４によりボイド８を位置決めするように構成したものである。
【００１９】
このボイド取付部材４は、図５に示すように、帯鋼を曲げ加工したものであって、図５（ａ）に示すように、平坦な底面41となる部分の両側を上向きにＵ字形に曲げ、図５（ｂ）に示すように、一方の立上り部分42を底面から高さＤの位置で内側に曲げ、さらに円弧状に曲げて受面43を形成したものである。
【００２０】
また、このボイド取付部材４として、図５（ｃ）に示すように、予めループ状に形成した帯鋼を曲げ加工して、平坦な底面41と円弧状のボイドの受面43とを形成してもよいのである。
【００２１】
図６に示すように、円弧状に曲げた受面43が対向するように、２つのボイド取付部材４を、隣接する自立型トラス１の中間に自立型トラス１と交差する方向に複数個載せ、各平坦な底面41を型枠２の上面に溶接または鋲止めして固定する。
【００２２】
このように、２つのボイド取付部材４を対向させて固定すると、２つの円弧状に曲げた受面43が略半円のボイド受けを形成するので、ここにボイド８を載せる。このとき、ボイド８は、型枠２より高さＤに位置決めされる。
【００２３】
図７に示すように、ボイド８の側面に沿わせるように、ボイド取付部材４の開放端44を曲げて、端部の近くをスポット溶接▽してボイド８を固定する。
【００２４】
そして、この床構造材を横梁の間に架け渡し、鉄板２を捨て型枠としてコンクリートを打設して床スラブを構築するのである。
【００２５】
【発明の効果】
以上の実施の形態に基づく説明から明らかなように、この発明におけるボイド取付部材は、自立型トラス１の間隔が変わっても、太さが異なるボイドにも適用することができるものであり、かつ、ボイドの取付作業が溶接により簡便に行うことができる。
【図面の簡単な説明】
【図１】型枠に自立型トラスを固定した床構造材を示す正面図（ａ）、この発明のボイド取付部材の第１の実施形態を示す正面図（ｂ）（ｃ）、
【図２】この発明のボイド取付部材を床構造材に固定した状態を示す正面図、
【図３】この発明のボイド取付部材を有する床構造材にボイドを載せた状態を示す正面図、
【図４】この発明の第１の実施形態のボイド取付部材によりボイドを床構造材に固定した状態を示す正面図、
【図５】この発明のボイド取付部材の第２の実施形態の加工工程を示す正面図、
【図６】この発明の第２の実施形態のボイド取付部材を床構造材に固定した状態を示す正面図、
【図７】この発明の第２の実施形態のボイド取付部材によりボイドを床構造材に固定した状態を示す正面図、
【図８】従来のボイド取付部材によりボイドを床構造材に固定した状態の一例を示す正面図である。
【符号の説明】
１  自立型トラス
11  上弦筋
12  下弦筋
13  ラチス筋
14  上側屈曲部
15  下側屈曲部
２  型枠
３  ボイド取付部材
４  ボイド取付部材
８  ボイド
【図１】
2004197338.tif 000003
【図２】
2004197338.tif 000004
【図３】
2004197338.tif 000005
【図４】
2004197338.tif 000006
【図５】
2004197338.tif 000007
【図６】
2004197338.tif 000008
【図７】
2004197338.tif 000009
【図８】
2004197338.tif 000010